(57)【要約】【課題】  髪を解く際に髪が絡まりにくくすることができ、髪を傷つけたり、髪を誤って引き抜いたりすることを防止できる櫛を提供する。【解決手段】  櫛Ａ１は、本体部１０と、複数の櫛歯部２０を有し、各櫛歯部２０には、円筒状部４０が回転可能に設けられている。つまり、櫛歯部２０は、本体部２２と、円筒状部４０とを有し、円筒状部４０は、本体部２２に対して回転するように構成されている。また、櫛を長手方向に往復動させる動作機構部を設けるようにしてもよい。【選択図】        図１
2007044414.tif 000002
【特許請求の範囲】
【請求項１】
複数の櫛歯部と、該櫛歯部を支持する櫛本体部とを有する櫛であって、
該櫛歯部は、
該櫛本体部から連設された櫛歯部本体と、
該櫛歯部本体に周設され、該櫛歯部本体に対して回転可能な円筒状部と、
を有することを特徴とする櫛。
【請求項２】
複数の櫛歯部と、該櫛歯部を支持する櫛本体部とを有する櫛であって、
該櫛歯部は、
該櫛本体部から連設された櫛歯部本体で、円柱状を呈する柱状部と、該柱状部の先端に設けられ、該柱状部よりも大径な先端部とを有する櫛歯部本体と、
該柱状部の周りに設けられ、該柱状部に対して回転可能な円筒状部と、
を有することを特徴とする櫛。
【請求項３】
上記櫛歯部における円筒状部の内径は、櫛歯部本体における柱状部の外径よりも大径であり、該柱状部の周囲には、弾性部材が設けられていることを特徴とする請求項２に記載の櫛。
【請求項４】
上記弾性部材が、上記柱状部の軸線方向に所定間隔ごとに設けられた複数の弾性部材群から構成され、各弾性部材群は、該柱状部から放射状に設けられた複数の弾性部で弾性を有する部材により形成された弾性部から構成されていることを特徴とする請求項３に記載の櫛。
【請求項５】
上記円筒状部が、１つの櫛歯部について複数設けられ、該複数の円筒状部は、櫛歯部本体の軸線に沿って設けられていることを特徴とする請求項１又は２又は３又は４に記載の櫛。
【請求項６】
トリートメント装置であって、
請求項１又は２又は３又は４又は５に記載の櫛で、櫛の長手方向に沿って上記櫛歯部が設けられた櫛と、
該櫛を、該櫛の該長手方向に往復動させる動作機構部を有する本体部と、
を有することを特徴とするトリートメント装置。
【請求項７】
トリートメント装置であって、
請求項１又は２又は３又は４又は５に記載の櫛で、櫛の長手方向に沿って上記櫛歯部が設けられた櫛と、
該櫛を往復動させる動作機構部で、往復動における移動経路が、少なくとも該櫛の該長手方向に直角な成分と該櫛の長手方向の成分とを有する方向の経路を有する動作機構部を有する本体部と、
を有することを特徴とするトリートメント装置。
【請求項８】
上記動作機構部が、上記櫛を櫛の長手方向に向けた状態で周回移動させることを特徴とする請求項７に記載のトリートメント装置。
【請求項９】
上記トリートメント装置が、
複数の櫛歯部と、該櫛歯部を支持する櫛本体部とを有する第２の櫛で、該櫛歯部が、該第２の櫛の長手方向に沿って設けられ、該櫛本体部から連設された櫛歯部本体と、該櫛歯部本体に周設され、該櫛歯部本体に対して回転可能な円筒状部とを有する第２の櫛を有し、
該第２の櫛は、トリートメント装置における上記本体部に固定されていることを特徴とする請求項６又は７又は８に記載のトリートメント装置。
【請求項１０】
上記トリートメント装置が、
複数の櫛歯部と、該櫛歯部を支持する櫛本体部とを有する第２の櫛で、該櫛歯部が、該第２の櫛の長手方向に沿って設けられ、該櫛本体部から連設された櫛歯部本体と、該櫛歯部本体に周設され、該櫛歯部本体に対して回転可能な円筒状部とを有する第２の櫛を有し、
該第２の櫛は、該第２の櫛の該長手方向に往復動させる第２動作機構部により往復動されることを特徴とする請求項６又は７又は８に記載のトリートメント装置。
【請求項１１】
上記櫛における複数の櫛歯部と、上記第２の櫛における複数の櫛歯部とは、互いに平行に設けられていることを特徴とする請求項９又は１０に記載のトリートメント装置。
【請求項１２】
上記櫛における複数の櫛歯部と、上記第２の櫛における複数の櫛歯部とは、上記櫛の長手方向に沿って一列に配設されていることを特徴とする請求項９又は１０に記載のトリートメント装置。
【発明の詳細な説明】
【技術分野】
【０００１】
本発明は、櫛に関するものである。
【背景技術】
【０００２】
従来より、櫛は全体に一体的に構成され、櫛の本体部に複数の櫛歯部が固定して設けられているのが一般的である。
【０００３】
なお、出願人は、先行技術文献の調査は行っておらず、記載すべき先行技術文献は存在しない。
【発明の開示】
【発明が解決しようとする課題】
【０００４】
しかし、櫛歯部が本体部に固定されている場合には、髪を解く際に髪が櫛歯部に絡まってしまい、髪を傷つけたり、引き抜いたりするおそれがある。
【０００５】
そこで、本発明が解決しようとする問題点は、髪を解く際に髪が絡まりにくくすることができる櫛を提供することである。
【課題を解決するための手段】
【０００６】
本発明は上記問題点を解決するために創作されたものであって、第１には、複数の櫛歯部と、該櫛歯部を支持する櫛本体部とを有する櫛であって、該櫛歯部は、該櫛本体部から連設された櫛歯部本体と、該櫛歯部本体に周設され、該櫛歯部本体に対して回転可能な円筒状部と、を有することを特徴とする。
【０００７】
この第１の構成の櫛においては、円筒状部が設けられているので、髪が櫛歯部に絡まった場合でも円筒状部が回転することにより、髪をほどくことができ、よって、髪が絡まりにくく、髪を傷つけたり引き抜いたりするのを防止することができる。
【０００８】
また、第２には、複数の櫛歯部と、該櫛歯部を支持する櫛本体部とを有する櫛であって、該櫛歯部は、該櫛本体部から連設された櫛歯部本体で、円柱状を呈する柱状部と、該柱状部の先端に設けられ、該柱状部よりも大径な先端部とを有する櫛歯部本体と、該柱状部の周りに設けられ、該柱状部に対して回転可能な円筒状部と、を有することを特徴とする。
【０００９】
この第２の構成の櫛においては、円筒状部が設けられているので、髪が櫛歯部に絡まった場合でも円筒状部が回転することにより、髪をほどくことができ、よって、髪が絡まりにくく、髪を傷つけたり引き抜いたりするのを防止することができる。また、先端部が設けられているので、円筒状部の抜けを防止することができる。
【００１０】
また、第３には、上記第２の構成において、上記櫛歯部における円筒状部の内径は、櫛歯部本体における柱状部の外径よりも大径であり、該柱状部の周囲には、弾性部材が設けられていることを特徴とする。よって、弾性部材が設けられているので、円筒状部が櫛歯本体に対して横方向に移動可能となり、絡まった髪を容易にほどくことができる。
【００１１】
また、第４には、上記第３の構成において、上記弾性部材が、上記柱状部の軸線方向に所定間隔ごとに設けられた複数の弾性部材群から構成され、各弾性部材群は、該柱状部から放射状に設けられた複数の弾性部で弾性を有する部材により形成された弾性部から構成されていることを特徴とする。よって、円筒状部は、どの方向から力が加わった場合でも、横方向にほぼ均等に移動できるので、より容易に絡まった髪をほどくことができる。
【００１２】
また、上記第４の構成において、上記弾性部材群における各弾性部は、略等角度間隔で配設され、上記柱状部の軸線方向に隣接する２つの弾性部材群においては、柱状部の軸線方向から視認した場合に、一方の弾性部材群の弾性部は、他方の弾性部材群の２つの弾性部間にある（他方の弾性部材群の２つの弾性部材と略等角度の位置に設けられている）ことを特徴とするのが好ましい。
【００１３】
また、第５には、上記第１から第４までのいずれかの構成において、上記円筒状部が、１つの櫛歯部について複数設けられ、該複数の円筒状部は、櫛歯部本体の軸線に沿って設けられていることを特徴とする。よって、１つの櫛歯部において複数の円筒状部が個々に回転可能となるので、絡まった髪を容易にほどくことができる。
【００１４】
また、第６には、トリートメント装置であって、上記第１又は２又は３又は４又は５の構成の櫛で、櫛の長手方向に沿って上記櫛歯部が設けられた櫛と、該櫛を、該櫛の該長手方向に往復動させる動作機構部を有する本体部と、を有することを特徴とする。
【００１５】
この第６の構成においては、髪を濡らす等して毛表皮が開いていて髪の内部に水分が含まれた状態で、トリートメント液を髪に付着させてトリートメント装置により髪をといていく。すると、トリートメント装置においては、櫛が、動作機構部によって櫛の該長手方向に往復動されるので、髪に適度な圧力が付与され、これにより、髪の内部の水分が排出され、毛表皮が開いた状態で、かつ、髪の内部の水分が排出された状態となるので、髪の内部にトリートメント液が浸透していく。つまり、トリートメント液は髪の内部に許容量だけ浸透していく。よって、トリートメント液を十分髪の内部に浸透させることができる。また、櫛における櫛歯部に円筒状部が設けられているので、髪が櫛歯部に絡まった場合でも円筒状部が回転することにより、髪をほどくことができ、よって、髪が絡まりにくく、髪を傷つけたり引き抜いたりするのを防止することができる。
【００１６】
なお、上記第６の構成において、上記動作機構部が、回転力を出力する駆動部と、該駆動部から出力される回転力により回転するギアと、該ギアの回転により動作するクランク機構部と、該クランク機構部に接続された軸部と、を有し、上記櫛が、該軸部に接続されていることを特徴とするものとするのが好ましい。
【００１７】
また、第７には、トリートメント装置であって、上記第１又は２又は３又は４又は５の構成の櫛で、櫛の長手方向に沿って上記櫛歯部が設けられた櫛と、該櫛を往復動させる動作機構部で、往復動における移動経路が、少なくとも該櫛の該長手方向に直角な成分と該櫛の長手方向の成分とを有する方向の経路を有する動作機構部を有する本体部と、を有することを特徴とする。
【００１８】
この第７の構成のトリートメント装置においては、髪を濡らす等して毛表皮が開いていて髪の内部に水分が含まれた状態で、トリートメント液を髪に付着させてトリートメント装置により髪をといていく。すると、トリートメント装置においては、櫛が、動作機構部によって櫛の該長手方向に往復動されるので、髪に適度な圧力が付与され、これにより、髪の内部の水分が排出され、毛表皮が開いた状態で、かつ、髪の内部の水分が排出された状態となるので、髪の内部にトリートメント液が浸透していく。つまり、トリートメント液は髪の内部に許容量だけ浸透していく。よって、トリートメント液を十分髪の内部に浸透させることができる。さらに、往復動における移動経路が、少なくとも該櫛の該長手方向に直角な成分と該櫛の長手方向の成分とを有する方向の経路を有するので、髪に対して櫛歯部から髪に対して付与される力が櫛の長手方向のみならず、該長手方向に対して直角な方向の成分を有する方向にも髪に圧力を付与することができ、髪の水分を十分排出させることができる。特に、櫛の本体部も髪に当たって圧力を付与できるので、髪の水分を十分排出させることができる。また、櫛における櫛歯部に円筒状部が設けられているので、髪が櫛歯部に絡まった場合でも円筒状部が回転することにより、髪をほどくことができ、よって、髪が絡まりにくく、髪を傷つけたり引き抜いたりするのを防止することができる。
【００１９】
なお、上記第６及び第７の構成において、櫛の構成を「櫛形状を呈する櫛で、該櫛の長手方向に沿って複数の櫛歯部を有する櫛」としてもよく、また、「櫛形状を呈する櫛で、該櫛の長手方向に沿って設けられた複数の櫛歯部と、該複数の櫛歯部を支持し、該長手方向に設けられた本体部とを有する櫛」としてもよい。
【００２０】
なお、第７−１の構成として、上記第７の構成において、上記動作機構部が、上記櫛を櫛の長手方向に向けた状態で所定の回動中心軸を中心に回動させながら往復動させることを特徴とするものとするのが好ましい。
【００２１】
また、第７−２の構成として、上記第７及び第７に従属する構成において、上記動作機構部が、往復運動を出力する往復運動出力部と、該往復運動出力部に接続された軸部と、該軸部を上記櫛の長手方向に向けた状態で所定の回動中心軸を中心に回動させながら支持する揺動部と、を有し、上記櫛が、該軸部に接続されていることを特徴とするものとするのが好ましい。
【００２２】
また、第７−３の構成として、上記第７−２の構成において、上記揺動部が、上記動作機構部の軸部を回動させる第１回動部材で、一方の端部が上記本体部に回転可能に軸支された第１回動部材と、上記動作機構部の軸部を回動させる第２回動部材で、該第１回動部材とは軸部の軸線方向に沿って所定の間隔を介して設けられた第２回動部材で、一方の端部が上記本体部に回転可能に軸支された第２回動部材と、を有することを特徴とする。
【００２３】
また、第７−４の構成として、上記第７−２又は第７−３の構成において、上記往復運動出力部が、回転力を出力する駆動部と、該駆動部から出力される回転力により回転するギアと、該ギアの回転により動作するクランク機構部と、を有することを特徴とするものとするのが好ましい。
【００２４】
また、第７−５の構成として、第７の構成又は第７−１〜第７−４におけるいずれかの構成において、上記櫛の往復動に際して、櫛が後端位置から先端側に移動する場合には、櫛における櫛歯部の先端側が下方に下降し、一方、櫛が先端位置から後端側に移動する場合には、櫛における櫛歯部の先端側が上方に上昇することを特徴とするものとするのが好ましい。
【００２５】
また、第７−６の構成として、第７の構成又は第７−１〜第７−４におけるいずれかの構成において、上記櫛の往復動に際して、櫛が後端位置から先端側に移動する場合には、櫛における櫛歯部の先端側が上方に上昇し、一方、櫛が先端位置から後端側に移動する場合には、櫛における櫛歯部の先端側が下方に下降することを特徴とするものとするのが好ましい。
【００２６】
また、第８には、上記第７の構成において、上記動作機構部が、上記櫛を櫛の長手方向に向けた状態で周回移動させることを特徴とする。よって、髪に対して複数の方向から圧力を掛けることができるので、髪の水分を十分排出させることができる。
【００２７】
なお、上記第７の構成又は第８の構成において、上記動作機構部が、回転力を出力する駆動部と、該駆動部から出力される回転力により回転する第１ギアで、上記櫛の長手方向とは直角な方向の回転軸を中心に回転する第１ギアと、該第１ギアに設けられた第１カム部で、該第１ギアの回転軸に偏心して設けられ、円柱状の周面を有する第１カム部と、該第１ギアと歯合する第２ギアと、該第２ギアに歯合する第３ギアで、該第１ギアの回転軸と平行な回転軸を中心に回転する第３ギアと、該第３ギアに設けられた第２カム部で、該第３ギアの回転軸に偏心して設けられ、円柱状の周面を有する第３カム部と、該第１カム部と該第２カム部の回転により往復動するロッド状部で、該第１カム部に回転可能に周設された第１円筒状部と、該第２カム部に回転可能に周設された第２円筒状部と、該第１円筒状部と該第２円筒状部とを連結するために該第１円筒状部と該第２円筒状部間に設けられた該第１軸部と、該第２円筒状部に設けられた該第２軸部と、を有し、該第１軸部と該第２軸部とが同一直線状に配設されたロッド状部と、を有し、上記櫛は、該第２軸部に接続されていることを特徴とするものとするのが好ましい。
【００２８】
また、第９には、上記第６から第８までのいずれかの構成において、上記トリートメント装置が、複数の櫛歯部と、該櫛歯部を支持する櫛本体部とを有する第２の櫛で、該櫛歯部が、該第２の櫛の長手方向に沿って設けられ、該櫛本体部から連設された櫛歯部本体と、該櫛歯部本体に周設され、該櫛歯部本体に対して回転可能な円筒状部とを有する第２の櫛を有し、該第２の櫛は、トリートメント装置における上記本体部に固定されていることを特徴とする。
【００２９】
この第９の構成のトリートメント装置においては、上記櫛が往復動することにより、該第２の櫛と、往復動する上記櫛の両方により髪に圧力を付与することができるので、髪の内部の水分を十分排出することができる。
【００３０】
なお、上記第９の構成において、第２の櫛を「複数の櫛歯部と、該櫛歯部を支持する櫛本体部とを有する第２の櫛で、該櫛歯部が、該第２の櫛の長手方向に沿って設けられ、該櫛本体部から連設された櫛歯部本体で、円柱状を呈する柱状部と、該柱状部の先端に設けられ、該柱状部よりも大径な先端部とを有する櫛歯部本体と、該柱状部の周りに設けられ、該柱状部に対して回転可能な円筒状部とを有する第２の櫛」としてもよい。
【００３１】
また、第１０には、上記第６から第８までのいずれかの構成において、上記トリートメント装置が、複数の櫛歯部と、該櫛歯部を支持する櫛本体部とを有する第２の櫛で、該櫛歯部が、該第２の櫛の長手方向に沿って設けられ、該櫛本体部から連設された櫛歯部本体と、該櫛歯部本体に周設され、該櫛歯部本体に対して回転可能な円筒状部とを有する第２の櫛を有し、該第２の櫛は、該第２の櫛の該長手方向に往復動させる第２動作機構部により往復動されることを特徴とする。
【００３２】
この第１０の構成のトリートメント装置においては、上記櫛と上記第２の櫛とが往復動することにより、櫛と第２の櫛の両方により髪に圧力を付与することができるので、髪の内部の水分を十分排出することができる。特に、櫛と第２の櫛の両方が往復動するので、髪の内部の水分をより十分排出することができる。
【００３３】
また、第１１には、上記第９又は第１０の構成において、上記櫛における複数の櫛歯部と、上記第２の櫛における複数の櫛歯部とは、互いに平行に設けられていることを特徴とする。このように、櫛歯部を二列に配設することにより、髪に対して一度に複数の箇所で圧力を付与することができるので、効果的に髪の内部の水分を排出することができる。
【００３４】
また、第１２には、上記第９又は第１０の構成において、上記櫛における複数の櫛歯部と、上記第２の櫛における複数の櫛歯部とは、上記櫛の長手方向に沿って一列に配設されていることを特徴とする。よって、髪が櫛の櫛歯部と第２の櫛の櫛歯部とで挟んだ状態となり、髪に対して同時に左右両側から圧力が掛けられるので、髪の内部の水分を十分排出することができる。
【００３５】
なお、上記第６から第１２までの構成において、櫛の構成を単に「複数の櫛歯部と、該櫛歯部を支持する櫛本体部とを有する櫛」として、通常の櫛のように、棒状の部材からなる櫛歯部を有する構成としてもよい。
【発明の効果】
【００３６】
本発明に基づく櫛やトリートメント装置によれば、円筒状部が設けられているので、髪が櫛歯部に絡まった場合でも円筒状部が回転することにより、髪をほどくことができ、よって、髪が絡まりにくく、髪を傷つけたり引き抜いたりするのを防止することができる。
【発明を実施するための最良の形態】
【００３７】
本発明においては、髪を解く際に髪が絡まりにくくすることができる櫛を提供するという目的を以下のようにして実現した。なお、以下の説明において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【実施例１】
【００３８】
本発明に基づく櫛Ａ１は、図１〜図４に示されるように構成され、本体部（櫛本体部）１０と、櫛歯部２０とを有している。
【００３９】
ここで、本体部１０は、全体に板状を呈し、把持部１２と、支持部１４とを有している。この把持部１２は、略方形状の板状を呈し、櫛Ａ１を使用する際に、手で持つ部分となる。また、支持部１４は、把持部１２の上端から先端方向の横方向（Ｘ１−Ｘ２方向）に伸びた帯板状（細長長方形状としてもよい）を呈し、その下端には、複数の櫛歯部２０を一列に支持している。
【００４０】
また、櫛歯部２０は、本体部（櫛歯部本体）２２と、円筒状部４０とを有している。つまり、本体部２２は、基端部２４と、柱状部２６と、先端部２８とを有し、基端部２４は、支持部１４の下端に設けられ、上側部分が直方体を呈するとともに下側部分が、その上端が四角形状を呈し下端が円形を呈する形状となっている。また、柱状部２６は、基端部２４の下端から下方向（Ｚ１−Ｚ２方向）に設けられ、円柱状を呈している。また、先端部２８は、少なくともその上端が柱状部２６よりも大径に形成されていて、略逆円錐台形状を呈している。
【００４１】
また、円筒状部４０は、基端部２４と先端部２８間の柱状部２６の周囲に設けられ、円筒状を呈している。この円筒状部４０の内径は、柱状部２６の外径よりも大きく形成されていて、円筒状部４０が柱状部２６に対して容易に回転するように形成されている。なお、この円筒状部４０の外径は、先端部２８の上端の外径と略同一であり、円筒状部４０の周面と先端部２８の周面とが連続面となっている。円筒状部４０は、先端部２８により脱落が防止されている。
【００４２】
なお、複数の櫛歯部２０におけるそれぞれは同じ構成である。また、隣接する櫛歯部間の距離、つまり、ある櫛歯部の軸線と隣接する櫛歯部の軸線間の距離Ｇ１（図２参照）は、１．５ｍｍ〜２．５ｍｍ程度となっている。つまり、複数の櫛歯部２０は、距離Ｇ１間隔で設けられている。また、隣接する櫛歯部２０間の隙間Ｇ２は１．０ｍｍ〜１．５ｍｍとなっている。
【００４３】
上記構成の櫛Ａ１の使用状態について説明する。櫛Ａ１は、通常の櫛と同様に使用し、把持部１２を手に持つ等して櫛Ａ１を手に持ち、髪をとく。その際、櫛歯部２０において、円筒状部４０が本体部２２に対して回転する（図４等参照）ので、髪が櫛歯部２０に絡まった場合でも絡まった髪を容易にほどくことができ、髪を痛めたり、誤って髪を引き抜いたりすることがない。
【００４４】
なお、上記の構成において櫛歯部２０の構成を図５や図６に示すような櫛歯部２０’の構成としてもよい。すなわち、図５、図６に示す櫛歯部２０’は、主として、柱状部の構成が異なる。
【００４５】
すなわち、櫛歯部２０’は、本体部２２と、円筒状部４０とを有している。つまり、本体部２２は、基端部２４と、柱状部２６と、先端部２８とを有している。
【００４６】
ここで、柱状部２６は、円柱状部２６ａと、弾性部３０ａ〜３０ｈとを有している。ここで、円柱状部２６ａは、円柱状を呈し、基端部２４と先端部２８間に設けられている。
【００４７】
また、弾性部３０ａ〜３０ｈは、円柱状部２６ａの側面から突出し、棒状を湾曲又は屈曲させた形状を呈している。つまり、弾性部３０ａ〜３０ｈにおける各弾性部は同じ構成であるので、弾性部３０ａを例に取って説明すると、弾性部３０ａは、円柱状部２６ａの側面から外側（つまり、円柱状部２６ａの側面から離れる方向）に突出した棒状の第１構成部Ｋ１と、該第１構成部Ｋ１から連設された棒状の第２構成部Ｋ２で、内側（つまり、円柱状部２６ａの側面に近づく方向）に突出した棒状の第２構成部Ｋ２とを有し、第１構成部Ｋ１と第２構成部Ｋ２の間の部分は、屈曲するかあるいは湾曲した形状となっている。
【００４８】
また、円柱状部２６ａにおける高さ方向の同じ位置に、複数の弾性部が放射状に設けられている。つまり、図５に示すように、弾性部３０ａ〜３０ｄが、互いに点対称の位置に放射状に設けられ、また、弾性部３０ｅ〜３０ｈが、互いに点対称の位置に放射状に設けられている。また、弾性部３０ａ〜３０ｄからなる弾性部群を第１弾性部群とし、弾性部３０ｅ〜３０ｈからなる弾性部群を第２弾性部群とした場合に、第１弾性部群と第２弾性部群とは、高さ方向に交互に設けられている。また、第１弾性部群における各弾性部の方向（つまり、放射状の方向）と、第２弾性部群における各弾性部群の方向（つまり、放射状の方向）は、異なる方向となっていて、第２弾性部群における各弾性部の方向は、第１弾性部群における各弾性部の方向の中間の方向になっている。つまり、上方から視認した場合には、第２弾性部群の各弾性部は、第１弾性部群の各弾性部の中間の方向にあり、例えば、弾性部３０ｅは、弾性部３０ａの方向と弾性部３０ｂの方向の中間の方向にあり、弾性部３０ｅは弾性部３０ａに対して４５度をなし、弾性部３０ｂに対しても４５度をなしている。なお、第１弾性部群、第２弾性部群ともに、上方から視認した場合に、隣接する弾性部は互いに直角をなしている。
【００４９】
この図５、図６に示す構成においては、上記図１〜図４の構成の櫛Ａ１の場合と同様に、櫛歯部２０’に髪が絡まった場合でも、円筒状部４０が回転することにより、絡まった髪を容易にほどくことができる。また、柱状部２６に弾性部が設けられているので、図６に示すように、円筒状部４０が横方向に移動可能となり、絡まった髪を容易にほどくことができる。さらに、第１弾性部群と第２弾性部群において、各弾性部が放射状に設けられているので、どの方向から力が加わった場合でも、横方向にほぼ均等に移動でき、より容易に絡まった髪をほどくことができる。また、第１弾性部群と第２弾性部群とが交互に設けられているので、円筒状部４０が横方向のいずれの方向にも（つまり、３６０度いずれの方向にも）均等に移動することができ、より容易に絡まった髪をほどくことができる。
【００５０】
なお、上記弾性部の構成は、円筒状部４０が回転可能で、かつ、円筒状部４０が横方向に移動可能な構成であれば他の構成としてもよい。
【００５１】
なお、上記櫛歯部２０や櫛歯部２０’において、円筒状部４０は各櫛歯部について１つの円筒状部が設けられているが、縦方向に設けられた複数の円筒状部により構成してもよい。すなわち、柱状部２６や円柱状部２６ａの周囲に柱状部の軸線方向に複数の円筒状部を設けて（複数の円筒状部における各円筒状部の外径や内径は同じとする）、該複数の円筒状部のうちの各円筒状部がそれぞれ柱状部に対して回転できるようにする。つまり、上記櫛歯部２０や櫛歯部２０’の円筒状部４０を横方向に複数の円筒状部に切断した構成ともいえる。このような構成とすることにより、１つの櫛歯部において複数の円筒状部が個々に回転可能となるので、絡まった髪を容易にほどくことができる。つまり、ある櫛歯部において、髪が異なる方向から絡まり、ある髪については所定の方向に円筒状部が回転することにより髪がほどけるのに対して、他の髪については該所定の方向と異なる他の方向に円筒状部が回転することにより髪がほどける場合には、円筒状部が１つで構成されている場合には、髪をほどくことが困難であるが、このように、１つの櫛歯部について複数の円筒状部を設けることにより、個々の円筒状部が髪がほどける方向に容易に回転することができるので、絡まった髪を容易にほどくことができる。
【００５２】
次に、実施例２について説明する。実施例２は、実施例１における櫛歯部と同様の構成を有する櫛歯部を有するトリートメント装置である。
【００５３】
すなわち、トリートメント装置Ａ２は、図７〜図９に示すように構成され、装置本体部（本体部）１０５と、櫛部（第２の櫛）１５０と、櫛部（櫛）１８０とを有している。
【００５４】
ここで、装置本体部１０５は、櫛部１８０に対して往復動を出力するための装置であり、ケース部１１０と、動作機構部１１２とを有している。
【００５５】
ケース部１１０は、細長状のケース状を呈し、内部に動作機構部１１２を収納するための収納空間を有し、後端部１１０ａと側面部１１０ｂと先端部１１０ｃとを有している。後端部１１０ａは、円形の平面状を呈している。また、側面部１１０ｂは筒状を呈し、その外周面は後端側から先端側の途中までは円筒状に形成され、先端側はテーパ状に形成されている。また、先端部１１０ｃは、円柱状の外形を呈し、先端部１１０ｃには、軸部１２６が挿通するための挿通穴１１０ｄが形成されている。この挿通穴１１０ｄは、円柱状に形成されていて、その意味では、先端部１１０ｃは、円筒状に形成されている。この挿通穴１１０ｄは、軸部１２６のガイド部としても機能する。
【００５６】
また、動作機構部１１２は、電源部１１４と、モータ（駆動部）１１６と、歯車１１８と、ギア１２０と、カム部１２２と、ロッド１２４と、軸部１２６とを有している。
【００５７】
ここで、電源部１１４は、モータ１１６に電源を供給するためのものである。また、モータ１１６は、回転力を出力するものである。モータ１１６の回転数は、櫛部１８０の往復動の回数が１０００〜５０００回／秒となるような回転数となっている。このモータ１１６の出力軸には、歯車１１８が設けられている。
【００５８】
また、ギア１２０は、円形板状の本体部１２０ａと、該本体部１２０ａの周端部に本体部１２０ａの面に直角な方向に形成された歯部１２０ｂとを有し、本体部１２０ａの中心には、回転軸部１２０ａ−１が本体部１２０ａに固定して設けられている。この回転軸部１２０ａ−１は、櫛部１８０の軸線方向（Ｘ１−Ｘ２方向）に直角の方向に設けられ、ケース部１１０に対して回転自在に設けられている。該歯部１２０ｂは、歯車１１８と歯合している。
【００５９】
また、カム部１２２は、円柱状を呈し、その軸線が回転軸部１２０ａ−１の軸線と平行に設けられている。このカム部１２２は、一方の端面が本体部１２０ａに固定され、その軸線が回転軸部１２０ａ−１（厳密には、回転軸部１２０ａ−１の軸線）とずれた位置に固定されている。つまり、カム部１２２は、ギア１２０に対してその回転軸とは偏心した位置に設けられている。なお、カム部１２２には、カム部１２２の中心軸とは偏心した位置に挿通穴が設けられ、該回転軸部１２０ａ−１は、この挿通穴に挿通されて、カム部１２２は、回転軸部１２０ａ−１に固定されている。つまり、歯車１１８が回転すると、これにより、ギア１２０が回転し、カム部１２２が回転軸部１２０ａ−１を中心に回転するようになっている。
【００６０】
また、ロッド１２４は、カム部１２２と軸部１２６間に設けられ、棒状部１２４ａと、棒状部１２４ａの端部に設けられた環状部１２４ｂとを有している。そして、棒状部１２４ａにおける、環状部１２４ｂが設けられている側とは反対側の端部が、カム部１２２の側面（Ｙ１側の側面）にカム部１２２に対して回転自在に設けられている。具体的には、棒状部１２４ａの端部には挿通穴が設けられて、該挿通穴にピン部１２５が挿通され、該ピン部１２５は、カム部１２２に固定されている。なお、このピン部１２５は、カム部１２２の回転中心（つまり、回転軸部１２０ａ−１）に対してずれた位置に設けられ、具体的には、回転軸部１２０ａ−１とは反対側の位置に設けられている。また、環状部１２４ｂは、軸部１２６における環状部１２６ｂと連結されている。
【００６１】
また、軸部１２６は、軸部本体部１２６ａと、軸部本体部１２６ａの後端に設けられた環状部１２６ｂとを有している。
【００６２】
ここで、軸部本体部１２６ａは、棒状の円柱状を呈している。軸部本体部１２６ａは、往復動可能に挿通穴１１０ｄ内に設けられている。また、環状部１２６ｂは、軸部本体部１２６ａの後端に設けられ、ロッド１２４における環状部１２４ｂと連結している。また、軸部本体部１２６ａの先端側は、尖った形状に形成され、その端部に櫛部１８０が設けられている。
【００６３】
また、この装置本体部１０５には、モータ１１６の動作をオンオフするためのスイッチ（図示せず）が設けられている。なお、モータ１１６と、歯車１１８と、ギア１２０と、カム部１２２と、ロッド１２４とで上記往復運動出力部を構成している。
【００６４】
また、櫛部１５０は、支持部１５２と、櫛歯部１５４とを有し、支持部１５２は、トリートメント装置Ａ２の軸線方向（Ｘ１−Ｘ２方向）に設けられ、平板状部１５２ａと湾曲状部１５２ｂとを有している。
【００６５】
また、櫛歯部１５４は、上記櫛歯部２０と同様に円筒状部１７０が回転可能な構成である。すなわち、櫛歯部１５４は、本体部１５６と、円筒状部１７０とを有している。つまり、本体部１５６は、基端部１５８と、柱状部１６０と、先端部１６２とを有し、基端部１５８は、支持部１５２の側面（Ｙ１側の側面）の下側に設けられ、上側部分が直方体を呈するとともに下側部分が、その上端が四角形状を呈し下端が円形を呈する形状となっている。また、柱状部１６０は、基端部１５８の下端から下方向（Ｚ１−Ｚ２方向）に設けられ、円柱状を呈している。また、先端部１６２は、少なくともその上端が柱状部１６０よりも大径に形成されていて、略逆円錐台形状を呈している。
【００６６】
また、円筒状部１７０は、基端部１５８と先端部１６２間の柱状部１６０の周囲に設けられ、円筒状を呈している。この円筒状部１７０の内径は、柱状部１６０の外径よりも大きく形成されていて、円筒状部１７０が柱状部１６０に対して容易に回転するように形成されている。なお、この円筒状部１７０の外径は、先端部１６２の上端の外径と略同一であり、円筒状部１７０の周面と先端部１６２の周面とが連続面となっている。円筒状部１７０は、先端部１６２により脱落が防止されている。
【００６７】
また、櫛部１８０は、支持部１８２と、櫛歯部１８４とを有している。この支持部１８２は、トリートメント装置Ａ２の軸線方向（Ｘ１−Ｘ２方向）に設けられ、平板状に形成されている。つまり、支持部１８２は、横方向（Ｘ１−Ｘ２方向）に細長の長方形状を呈する板状を呈し、支持部１８２の表裏の平面部は、縦方向に立設した方向となっている。すなわち、支持部１８２と支持部１５２とは略平行（平行としてもよい）に設けられている。なお、支持部１８２は、軸部１２６に接続されていて、具体的には、支持部１８２の後端が軸部１２６の先端と接続されている。
【００６８】
また、櫛歯部１８４は、本体部１８６と、円筒状部２００とを有している。つまり、本体部１８６は、基端部１８８と、柱状部１９０と、先端部１９２とを有し、基端部１８８は、支持部１８２の下端に設けられ、その上端が四角形状を呈し下端が円形を呈する形状となっている。また、柱状部１９０は、基端部１８８の下端から下方向（Ｚ１−Ｚ２方向）に設けられ、円柱状を呈している。また、先端部１９２は、少なくともその上端が柱状部１９０よりも大径に形成されていて、略逆円錐台形状を呈している。
【００６９】
また、円筒状部２００は、基端部１８８と先端部１９２間の柱状部１９０の周囲に設けられ、円筒状を呈している。この円筒状部２００の内径は、柱状部１９０の外径よりも大きく形成されていて、円筒状部２００が柱状部１９０に対して容易に回転するように形成されている。なお、この円筒状部２００の外径は、先端部１９２の上端の外径と略同一であり、円筒状部２００の周面と先端部１９２の周面とが連続面となっている。円筒状部２００は、先端部１９２により脱落が防止されている。以上のように、柱状部１９０と先端部１９２と円筒状部２００の各構成は、上記櫛部１５０の場合と同様の構成であるといえる。
【００７０】
なお、櫛部１５０における隣接する櫛歯部１５４間の距離（つまり、隣接する櫛歯部１５４間の軸線方向の距離）Ｇ３（図９参照）（複数の櫛歯部１５４は、距離Ｇ３間隔で設けられているといえる）は、通常の櫛における隣接する櫛歯部間の距離よりも大きく形成され、特に、櫛歯部１８４が往復動する関係から、通常の櫛における隣接する櫛歯部間の距離の２倍以上の距離とするのが好ましく、具体的には、３．０ｍｍ〜９．０ｍｍ程度となっている。同様に、櫛部１８０における隣接する櫛歯部１８４間の距離（つまり、隣接する櫛歯部１８４間の軸線方向の距離）Ｇ４（図９参照）（複数の櫛歯部１８４は、距離Ｇ４間隔で設けられているといえる）は、隣接する上記櫛歯部１５４間の距離Ｇ３と同じ長さに形成され、通常の櫛における隣接する櫛歯部間の距離よりも大きく形成され、特に、通常の櫛における隣接する櫛歯部間の距離の２倍以上の距離とするのが好ましく、具体的には、３．０ｍｍ〜９．０ｍｍ程度となっている。
【００７１】
なお、上記トリートメント装置Ａ２における場合と同様に、櫛歯部１８４は、隣接する両側の櫛歯部１５４間を往復動することになるが、往復動する櫛歯部１８４の振幅（この場合の振幅は、往復動する櫛歯部１８４の移動領域の端部から端部までの距離を示す）は、隣接する両側の櫛歯部１５４間の距離以下となっている。つまり、櫛歯部１８４が往復動する際の移動領域の後端位置と先端位置との間の距離は、隣接する両側の櫛歯部１５４間の距離以下となっている。また、上記トリートメント装置Ａ２の場合と同様に、往復動する櫛歯部１８４の振幅は、隣接する両側の櫛歯部１５４間の距離よりも小さく、櫛歯部１５４と櫛歯部１８４とが最も近接した場合でも、櫛歯部１５４と櫛歯部１８４との間に所定の隙間があるようにするのが好ましい。なお、該所定の隙間の大きさは任意であるが、例えば、０．５ｍｍ〜２．０ｍｍとするのが好ましい。また、櫛歯部１８４の振幅は、２．０ｍｍ〜８．０ｍｍ（好ましくは、３．０ｍｍ〜４．０ｍｍ）とするのが好ましい。
【００７２】
以上のように、上記トリートメント装置Ａ２においては、櫛部１５０と櫛部１８０において、櫛歯部に回転自在な円筒状部が設けられているといえる。
【００７３】
上記構成のトリートメント装置Ａ２の動作について説明する。まず、トリートメント装置Ａ２に設けられたスイッチを操作すると、モータ１１６が回転し、歯車１１８が回転する。すると、歯車１１８に歯合したギア１２０が回転し、これにより、カム部１２２が回転する。このカム部１２２が回転することにより、ロッド１２４の環状部１２４ｂがトリートメント装置Ａ２の軸線方向（Ｘ１−Ｘ２方向）に往復動し、これにより、軸部１２６が往復動し、軸部１２６が往復動することにより、軸部１２６に接続された櫛部１８０が往復動する。なお、挿通穴１１０ｄが設けられているので、軸部１２６は、上下動することなく往復動し、櫛部１８０も上下動することなく往復動する。この櫛部１８０の往復動の回数は、１０００〜５０００回／秒である。
【００７４】
なお、トリートメント装置Ａ２の軸線方向と、軸部１２６の軸線方向と、櫛部１８０の軸線方向（長手方向）と、櫛部１５０の軸線方向（長手方向）は同じ方向であり、ともにＸ１−Ｘ２方向である。
【００７５】
次に、トリートメント装置Ａ２の使用状態について説明する。まず、被施術者の髪に対して、髪を覆っている毛表皮（キューティクル）を開かせる。これは、髪をシャンプーする等して濡らしたり、スチーマーを使用したり、髪を濡らして加温する等して行なう。なお、この状態では、髪の内部には水分が十分膨潤していて飽和状態となっている。
【００７６】
その後、トリートメント装置Ａ２を使用しながらトリートメントを行う。つまり、トリートメント液を髪に付着させ、トリートメント装置Ａ２を使用しながらトリートメント液を髪になじませる。つまり、トリートメント装置Ａ２の櫛部１５０、１８０で髪をときながらトリートメント液をなじませていく。実際には、髪を小分けにして、トリートメント液をなじませる作業を繰り返す。
【００７７】
すると、櫛部１８０が往復動することにより、髪に適度な圧力が付与され、これにより、髪の内部に飽和状態となっていた水分が排出され、毛表皮が開いた状態で、かつ、髪の内部の水分が排出された状態となるので、髪の内部にトリートメント液が浸透していく。つまり、トリートメント液は髪の内部に許容量だけ浸透していく。
【００７８】
特に、本実施例のトリートメント装置Ａ２においては、櫛歯部１５４と櫛歯部１８４とが一列に配設され、櫛歯部１８４が隣接する両側の櫛歯部１５４間を往復動するので、髪が櫛歯部１５４と櫛歯部１８４とで挟んだ状態となり、髪に対して同時に左右両側から圧力が掛けられるので、髪の内部の水分を十分排出することができる。また、櫛部１５０、１８０が上記のように構成されているので、櫛歯部１５４や櫛歯部１８４に髪が絡まった場合でも、円筒状部１７０や円筒状部２００が回転することにより、絡まった髪を容易にほどくことができる。
【００７９】
なお、上記の実施例２においては、櫛部１８０のみが往復動し、櫛部１５０は固定されているものであるが、櫛部１５０も往復動するものとしてもよい（第１応用例）。例えば、ギア１２０のＹ２側にもカム部と、該カム部に接続されたロッドと、ロッドに接続された軸部とを設け、該軸部の先端に櫛部１５０を設ける。これらのカム部やロッドや軸部が上記第２動作機構部に当たる。その場合でも、櫛部１５０の櫛歯部と櫛部１８０の櫛歯部とは一列に配設されるようにする。そして、櫛部１５０と櫛部１８０の動きは、反対方向に同期するようにし、櫛部１５０が最も先端にある場合には、櫛部１８０が最も後端にあるようにし、櫛部１５０が最も後端にある場合には、櫛部１８０が最も先端にあるようにするのが好ましい。そして、櫛歯部１５４と櫛歯部１８４とが最も近接した場合には、少なくとも櫛歯部１５４と櫛歯部１８４とが接するようにし、好ましくは、櫛歯部１５４と櫛歯部１８４とが最も近接した場合でも、櫛歯部１５４と櫛歯部１８４との間に所定の隙間があるようにする。
【００８０】
また、上記の実施例２においては、櫛部１５０の櫛歯部１５４と櫛部１８０の櫛歯部１８４とは一列に配設されているとして説明したが、これには限られず、櫛部１５０の櫛歯部と櫛部１８０の櫛歯部とは、軸線方向に直角な方向に所定の間隔が設けられた構成としてもよい（第２応用例）。つまり、櫛部１５０における複数の櫛歯部１５４を第１櫛歯部群とし、櫛部１８０における複数の櫛歯部１８４を第２櫛歯部群とした場合に、第１櫛歯部群を構成する櫛歯部１５４は一列に配設され、第２櫛歯部群を構成する櫛歯部１８４は一列に配設され、第１櫛歯部群と第２櫛歯部群とが互いに平行に所定の間隔を介して設けられた構成とする。この場合には、櫛歯部は二列に配設され、複数の櫛歯部１５４におけるＺ１−Ｚ２方向の中心線を含む平面（つまり、Ｘ１−Ｘ２方向とＺ１−Ｚ２方向をなす平面）と、複数の櫛歯部１８４におけるＺ１−Ｚ２方向の中心線を含む平面（つまり、Ｘ１−Ｘ２方向とＺ１−Ｚ２方向をなす平面）とは、所定の間隔を介して平行に設けられることになる。例えば、図８、図９の例では、櫛部１５０において平板状部１５２ａのＹ１側の側面の下側に基端部１５８が設けられているが、これを平板状部１５２ａの下端又はＹ２側の側面の下側に基端部１５８を設けることにより、上記のような櫛歯部が二列に設けられた構成とすることができる。
【００８１】
このように櫛歯部を二列に配設し、そのうちの一列の櫛歯部を往復動させることにより、髪に対して一度に複数の箇所で圧力を付与することができるので、効果的に髪の内部の水分を排出することができる。また、このように櫛歯部を二列にした場合には、櫛歯部に髪が絡まる可能性が高くなるが、櫛歯部１５４に円筒状部１７０が設けられ、櫛歯部１８４に円筒状部１９０が設けられているので、髪が絡まるのを防止することができる。
【００８２】
また、上記のように、櫛歯部を二列に構成した場合においても、二列の櫛歯部とも往復動させるようにしてもよい（第３応用例）。つまり、櫛部１５０の櫛歯部１５４と、櫛部１８０の櫛歯部１８４とが二列に構成されている場合に、櫛部１５０と櫛部１８０をともに軸線方向に往復動させる。この場合も、例えば、ギア１２０のＹ２側にもカム部と、該カム部に接続されたロッドと、ロッドに接続された軸部とを設け、該軸部の先端に櫛部１５０を設ける。これらのカム部やロッドや軸部が上記第２動作機構部に当たる。その場合でも、櫛部１５０の櫛歯部と櫛部１８０の櫛歯部とは一列に配設されるようにする。そして、櫛部１５０と櫛部１８０の動きは、反対方向に同期するようにし、櫛部１５０が最も先端にある場合には、櫛部１８０が最も後端にあるようにし、櫛部が１５０が最も後端にある場合には、櫛部１８０が最も先端にあるようにするのが好ましい。
【００８３】
また、上記実施例２の説明においては、櫛部１５０と櫛部１８０が設けられているものとして説明したが、櫛部１５０の構成を省略して、櫛部１８０のみとしてもよい（第４応用例）。この場合の構成のトリートメント装置を用いてトリートメントを行なうことにより、櫛部１８０が往復動することにより、髪に適度な圧力が付与され、これにより、髪の内部に飽和状態となっていた水分が排出され、毛表皮が開いた状態で、かつ、髪の内部の水分が排出された状態となるので、髪の内部にトリートメント液が浸透していく。つまり、トリートメント液は髪の内部に許容量だけ浸透していく。
【００８４】
なお、上記実施例２や実施例の２の応用例である上記第１応用例〜第４応用例においても、櫛歯部の構成を図５、図６に示すような構成としてもよい。つまり、櫛歯部１５４や櫛歯部１８４の構成を、図５、図６に示す櫛歯部２０’のように、柱状部に弾性部が設けられた構成とする。
【００８５】
つまり、図５、図６に示すように、櫛歯部１５４は、本体部１５６と、円筒状部１７０とを有していて、本体部１５６は、基端部１５８と、柱状部１６０と、先端部１６２とを有し、柱状部１６０は、円柱状部１６０ａと、弾性部３０ａ〜３０ｈとを有した構成とする。また、櫛歯部１８４については、櫛歯部１８４は、本体部１８６と、円筒状部２００とを有していて、本体部１８６は、基端部１８８と、柱状部１９０と、先端部１９２とを有し、柱状部１９０は、円柱状部１９０ａと、弾性部３０ａ〜３０ｈとを有した構成とする。
【００８６】
このような構成とすることにより、櫛歯部１５４、１８４に髪が絡まった場合でも、円筒状部１７０、２００が回転することにより、絡まった髪を容易にほどくことができる。また、櫛歯部の柱状部に弾性部３０ａ〜３０ｈが設けられているので、図６に示すように、円筒状部１７０、２００が横方向に移動可能となり、絡まった髪を容易にほどくことができる。さらに、第１弾性部群と第２弾性部群とが交互に設けられているので、円筒状部１７０、２００が横方向のいずれの方向にも（つまり、３６０度いずれの方向にも）均等に移動することができ、より容易に絡まった髪をほどくことができる。
【００８７】
また、上記実施例２や実施例の２の応用例である上記第１応用例〜第４応用例においても、実施例１で述べたように、円筒状部４０、１７０、２００を、各櫛歯部について、縦方向に設けられた複数の円筒状部により構成してもよい。つまり、複数の円筒状部を柱状部の軸線方向に設けて、各円筒状部がそれぞれ柱状部に対して回転できるようにする。
【００８８】
また、上記実施例２や実施例２の応用例である第１応用例〜第４応用例においては、櫛歯部が回転可能な円筒状部４０、１７０、２００を有する構成であるとして説明したが、これには限られず、通常の櫛のように棒状の部材からなる櫛歯部を有する構成としてもよい。
【図面の簡単な説明】
【００８９】
【図１】実施例１の櫛を示す斜視図である。
【図２】実施例１の櫛の要部斜視図である。
【図３】櫛歯部の構成を示す一部縦断面図である。
【図４】図３におけるＰ−Ｐ断面図である。
【図５】櫛歯部の他の構成を示す一部縦断面図である。
【図６】図５の構成の櫛歯部の動作を説明するための説明図である。
【図７】実施例２のトリートメント装置の構成を示す斜視図である。
【図８】実施例２のトリートメント装置の構成を示す一部破断斜視図である。
【図９】実施例２のトリートメント装置における櫛部の構成を示す要部斜視図である。
【符号の説明】
【００９０】
Ａ１  櫛
Ａ２  トリートメント装置
１０  本体部
１２  把持部
１４、１５２、１８２  支持部
２０、２０’、１５４、１８４  櫛歯部
２４、１５８、１８８  基端部
２６、１６０、１９０  柱状部
２６ａ、１６０ａ、１９０ａ  円柱状部
２８、１６２、１９２  先端部
３０ａ〜３０ｈ  弾性部
４０、１７０、２００  円筒状部
１０５  装置本体部
１１０  ケース部
１１２  動作機構部
１１６  モータ
１１８  歯車
１２０  ギア
１２２  カム部
１２４  ロッド
１２６  軸部
１５０、１８０  櫛部
【図１】
2007044414.tif 000003
【図２】
2007044414.tif 000004
【図３】
2007044414.tif 000005
【図４】
2007044414.tif 000006
【図５】
2007044414.tif 000007
【図６】
2007044414.tif 000008
【図７】
2007044414.tif 000009
【図８】
2007044414.tif 000010
【図９】
2007044414.tif 000011